(57)【要約】  本発明はデータ通信方法を開示し、該方法において、ユーザー装置（ＵＥ）は基地局へＵＥが複数の無線周波数（ＲＦ）チェーンを用いてデータ通信を行う能力を含むレポートを送信し、基地局からどのようにコンポーネントキャリアにおいて複数のＲＦチェーンを用いてデータ通信を行うかについての命令を受信し、該命令に基づいて、複数のＲＦチェーンをコンポーネントキャリアにおいて動作するように設定し、コンポーネントキャリアにおいて複数の設定されたＲＦチェーンを用いて基地局とのデータ通信を実行する。本発明は更にデータ通信装置及びコンピュータ可読記憶媒体を開示する。
2020505838.tif 000002
【特許請求の範囲】
【請求項１】
データ通信方法であって、
ユーザー装置（ＵＥ）は、前記ＵＥが複数の無線周波数（ＲＦ）チェーンを用いてデータ通信を行う能力を取得することと、
前記ＵＥは、基地局へ前記ＵＥが複数のＲＦチェーンを用いてデータ通信を行う能力を含むレポートを送信することと、を含む、前記データ通信方法。
【請求項２】
前記方法は、
前記ＵＥは、前記基地局からコンポーネントキャリアにおいて如何に前記複数のＲＦチェーンを用いてデータ通信を行うかについての命令を受信することと、
前記命令に基づいて、前記コンポーネントキャリアにおいて動作するようにいくつかのＲＦチェーンを設定することと、を更に含む
請求項１に記載の方法。
【請求項３】
前記レポートは、各ＲＦチェーンの動作帯域幅、又はどのＲＦチェーンを用いて前記コンポーネントキャリアのどの部分の帯域幅において動作するかの指示をさらに含む
請求項２に記載の方法。
【請求項４】
前記命令が、前記ＵＥが前記コンポーネントキャリアにおいて前記複数のＲＦチェーンのうちの２つ以上のＲＦチェーンを用いることを許容することを含む場合、前記命令に基づいて、前記コンポーネントキャリアにおいて動作するようにいくつかのＲＦチェーンを設定することは、
前記命令に基づいて、前記２つ以上のＲＦチェーンのうちの各ＲＦチェーンを前記コンポーネントキャリアの部分帯域幅において動作するように設定し、各ＲＦチェーンの動作している前記部分帯域幅が互いに隔てられることを含む
請求項２又は３に記載の方法。
【請求項５】
前記命令が、前記ＵＥが前記コンポーネントキャリアにおいて前記複数のＲＦチェーンのうちの２つ以上のＲＦチェーンを用いることを禁止することを含む場合、前記命令に基づいて、前記コンポーネントキャリアにおいて動作するようにいくつかのＲＦチェーンを設定することは、
前記命令に基づいて、１つのＲＦチェーンを前記コンポーネントキャリアにおいて動作するように設定することを含み、且つ
前記方法は、更に、
他のＲＦチェーンをオフにすることを含む
請求項２又は３に記載の方法。
【請求項６】
前記命令は、前記コンポーネントキャリアのどの部分の帯域幅を用いるかをさらに含み、前記命令に基づいて、１つのＲＦチェーンを前記コンポーネントキャリアにおいて動作するように設定することは、
該ＲＦチェーンを前記コンポーネントキャリアの命令された部分の帯域幅において動作するように設定することを含む
請求項５に記載の方法。
【請求項７】
前記命令は、前記コンポーネントキャリアの帯域幅の第１部分と第２部分を用いてダウンリンクデータ通信及びアップリンクデータ通信をそれぞれ行うことをさらに含み、前記命令に基づいて、１つのＲＦチェーンを前記コンポーネントキャリアにおいて動作するように設定することは、
該ＲＦチェーンのダウンリンク部分を前記コンポーネントキャリアの帯域幅の第１部分において動作するように設定することと、
該ＲＦチェーンのアップリンク部分を前記コンポーネントキャリアの帯域幅の第２部分において動作するように設定することと、を含む
請求項５に記載の方法。
【請求項８】
データ通信方法であって、
基地局は、ユーザー装置（ＵＥ）から前記ＵＥが複数の無線周波数（ＲＦ）チェーンを用いてデータ通信を行う能力を含むレポートを受信することと、
前記基地局は、前記レポートに基づいて、どのようにコンポーネントキャリアにおいて前記複数のＲＦチェーンを用いるかを前記ＵＥに命令することと、を含む、前記データ通信方法。
【請求項９】
前記基地局が前記レポートに基づいて、どのようにコンポーネントキャリアにおいて前記複数のＲＦチェーンを用いるかを前記ＵＥに命令することは、
前記基地局は、前記レポートに基づいて、前記ＵＥがどのように前記コンポーネントキャリアにおいて前記複数のＲＦチェーンを用いてデータ通信を行うかを確定することと、
前記基地局は、確定された結果に基づいて前記ＵＥへ命令を送信することと、を含む
請求項８に記載の方法。
【請求項１０】
前記レポートは、前記複数のＲＦチェーンのうちの各動作帯域幅又はどのＲＦチェーンを用いて前記コンポーネントキャリアのどの部分の帯域幅において動作するかの指示をさらに含み、且つ
前記基地局が、前記レポートに基づいて、どのようにコンポーネントキャリアにおいて前記複数のＲＦチェーンを用いるかを前記ＵＥに命令することは、
前記基地局は、ＲＦチェーンの動作周波数帯の間の間隔、ＲＦチェーンの動作周波数帯と前記コンポーネントキャリアの帯域幅エッジとの間の間隔がいずれもそれぞれの対応するプリセット値以上であるかどうかを確定することと、
前記間隔がいずれもそれぞれの対応するプリセット値以上である場合、前記ＵＥが前記コンポーネントキャリアにおいて前記複数のＲＦチェーンのうちの２つ以上のＲＦチェーンを用いてデータ通信を行うことを許容することを確定し、又は
１つの間隔が対応するプリセット値より小さい場合、前記ＵＥが前記コンポーネントキャリアにおいて前記複数のＲＦチェーンのうちの２つ以上のＲＦチェーンを用いてデータ通信を行うことを禁止することを確定することと、を含む
請求項９に記載の方法。
【請求項１１】
前記基地局が、前記ＵＥが前記コンポーネントキャリアにおいて前記複数のＲＦチェーンのうちの２つ以上のＲＦチェーンを用いてデータ通信を行うことを許容することを確定した場合、前記命令はどのＲＦチェーンが前記コンポーネントキャリアのどの部分の帯域幅を用いるかを含む
請求項９又は１０に記載の方法。
【請求項１２】
前記基地局が、前記ＵＥが前記コンポーネントキャリアにおいて前記複数のＲＦチェーンのうちの２つ以上のＲＦチェーンを用いてデータ通信を行うことを許容することを確定した場合、前記基地局が前記コンポーネントキャリアにおいて複数のパラメータセットを操作する場合、前記命令は異なるパラメータセットに対して異なるＲＦチェーンを用いることを含む
請求項９〜１１のいずれか１項に記載の方法。
【請求項１３】
前記基地局は前記ＵＥが前記コンポーネントキャリアにおいて前記複数のＲＦチェーンのうちの２つ以上のＲＦチェーンを用いることを禁止することを確定した場合、前記命令は前記コンポーネントキャリアのどの部分の帯域幅を用いるかを含む
請求項９又は１０に記載の方法。
【請求項１４】
前記基地局は前記ＵＥが前記コンポーネントキャリアにおいて前記複数のＲＦチェーンのうちの２つ以上のＲＦチェーンを用いてデータ通信を行うことを禁止することを確定した場合、前記方法は、更に、
前記基地局は、前記コンポーネントキャリアにおいてダウンリンクデータ通信及びアップリンクデータ通信を別個に実行することを確定することを含み、
前記命令は、前記ＵＥがダウンリンクデータ通信及びアップリンクデータ通信を行う時に、前記コンポーネントキャリアの帯域幅の第１部分と第２部分をそれぞれ用いることをさらに含む
請求項９又は１０に記載の方法。
【請求項１５】
データ通信装置であって、
ユーザー装置（ＵＥ）が複数の無線周波数（ＲＦ）チェーンを用いてデータ通信を行う能力を取得するように構成される取得モジュールと、
基地局へ前記ユーザー装置（ＵＥ）が複数のＲＦチェーンを用いてデータ通信を行う能力を含むレポートを送信するように構成される送信モジュールと、を備える、前記データ通信装置。
【請求項１６】
前記基地局からコンポーネントキャリアにおいて如何に前記複数のＲＦチェーンを用いてデータ通信を行うかについての命令を受信するように構成される受信モジュールと、
前記命令に基づいて、前記コンポーネントキャリアにおいて動作するようにいくつかのＲＦチェーンを設定するように構成される設定モジュールと、をさらに備える
請求項１５に記載の装置。
【請求項１７】
前記レポートは、各ＲＦチェーンの動作帯域幅、又はどのＲＦチェーンを用いて前記コンポーネントキャリアのどの部分の帯域幅において動作するかの指示をさらに含む
請求項１６に記載の装置。
【請求項１８】
前記命令が、前記ＵＥが前記コンポーネントキャリアにおいて前記複数のＲＦチェーンのうちの２つ以上のＲＦチェーンを用いることを許容することを含む場合、前記設定モジュールは、前記命令に基づいて、前記２つ以上のＲＦチェーンのうちの各ＲＦチェーンを前記コンポーネントキャリアの部分帯域幅において動作するように設定するように構成され、各ＲＦチェーンの動作している前記部分帯域幅が互いに隔てられる
請求項１６又は１７に記載の装置。
【請求項１９】
前記命令が、前記ＵＥが前記コンポーネントキャリアにおいて前記複数のＲＦチェーンのうちの２つ以上のＲＦチェーンを用いることを禁止することを含む場合、前記設定モジュールは、前記命令に基づいて、１つのＲＦチェーンを前記コンポーネントキャリアにおいて動作するように設定するように構成され、且つ
前記設定モジュールは更に他のＲＦチェーンをオフにするように構成される
請求項１６又は１７に記載の装置。
【請求項２０】
前記命令は、前記コンポーネントキャリアのどの部分の帯域幅を用いるかをさらに含み、前記設定モジュールは、該ＲＦチェーンを前記コンポーネントキャリアの命令された部分の帯域幅において動作するように設定するように構成される
請求項１９に記載の装置。
【請求項２１】
前記命令は、前記コンポーネントキャリアの帯域幅の第１部分と第２部分を用いてダウンリンクデータ通信及びアップリンクデータ通信をそれぞれ行うことをさらに含み、前記設定モジュールは、
該ＲＦチェーンのダウンリンク部分を前記コンポーネントキャリアの帯域幅の第１部分において動作するように設定し、
該ＲＦチェーンのアップリンク部分を前記コンポーネントキャリアの帯域幅の第２部分において動作するように設定するように構成される
請求項１９に記載の装置。
【請求項２２】
データ通信装置であって、
ユーザー装置（ＵＥ）が複数の無線周波数（ＲＦ）チェーンを用いてデータ通信を行う能力を含むレポートを受信するように構成される受信モジュールと、
前記レポートに基づいて、どのようにコンポーネントキャリアにおいて前記複数のＲＦチェーンを用いるかを前記ＵＥに命令するように構成される命令モジュールと、を備える、前記データ通信装置。
【請求項２３】
前記命令モジュールは、
前記レポートに基づいて、前記ＵＥがどのように前記コンポーネントキャリアにおいて前記複数のＲＦチェーンを用いてデータ通信を行うかを確定するように構成される確定ユニットと、
確定された結果に基づいて前記ＵＥへ命令を送信するように構成される送信ユニットと、を備える
請求項２２に記載の装置。
【請求項２４】
前記レポートは、前記複数のＲＦチェーンのうちの各動作帯域幅又はどのＲＦチェーンを用いて前記コンポーネントキャリアのどの部分の帯域幅において動作するかの指示をさらに含み、且つ
前記確定ユニットは、
ＲＦチェーンの動作周波数帯の間の間隔、ＲＦチェーンの動作周波数帯と前記コンポーネントキャリアの帯域幅エッジとの間の間隔がいずれもそれぞれの対応するプリセット値以上であるかどうかを確定し、
前記間隔がいずれもそれぞれの対応するプリセット値以上である場合、前記ＵＥが前記コンポーネントキャリアにおいて前記複数のＲＦチェーンのうちの２つ以上のＲＦチェーンを用いてデータ通信を行うことを許容することを確定し、又は
１つの間隔が対応するプリセット値より小さい場合、前記ＵＥが前記コンポーネントキャリアにおいて前記複数のＲＦチェーンのうちの２つ以上のＲＦチェーンを用いてデータ通信を行うことを禁止することを確定するように構成される
請求項２３に記載の装置。
【請求項２５】
前記確定ユニットが、前記ＵＥが前記コンポーネントキャリアにおいて前記複数のＲＦチェーンのうちの２つ以上のＲＦチェーンを用いてデータ通信を行うことを許容することを確定した場合、前記命令はどのＲＦチェーンが前記コンポーネントキャリアのどの部分の帯域幅を用いるかを含む
請求項２３又は２４に記載の装置。
【請求項２６】
前記確定ユニットが、前記ＵＥが前記コンポーネントキャリアにおいて前記複数のＲＦチェーンのうちの２つ以上のＲＦチェーンを用いてデータ通信を行うことを許容することを確定した場合、基地局が前記コンポーネントキャリアにおいて複数のパラメータセットを操作する場合、前記命令は、異なるパラメータセットに対して異なるＲＦチェーンを用いることをさらに含む
請求項２３〜２５のいずれか１項に記載の装置。
【請求項２７】
前記確定ユニットが、前記ＵＥが前記コンポーネントキャリアにおいて前記複数のＲＦチェーンのうちの２つ以上のＲＦチェーンを用いることを禁止することを確定した場合、前記命令は前記コンポーネントキャリアのどの部分の帯域幅を用いるかを含む
請求項２３又は２４に記載の装置。
【請求項２８】
前記確定ユニットが、前記ＵＥが前記コンポーネントキャリアにおいて前記複数のＲＦチェーンのうちの２つ以上のＲＦチェーンを用いてデータ通信を行うことを禁止することを確定した場合、前記確定ユニットは前記コンポーネントキャリアにおいてダウンリンクデータ通信及びアップリンクデータ通信を別個に実行することを確定するようにさらに構成され、
前記命令は、前記ＵＥがダウンリンクデータ通信及びアップリンクデータ通信を行う時に、前記コンポーネントキャリアの帯域幅の第１部分と第２部分をそれぞれ用いることをさらに含む
請求項２３又は２４に記載の装置。
【請求項２９】
コンピュータ可読記憶媒体であって、
命令が記憶され、前記命令がプロセッサにより実行されるとき、前記命令によってプロセッサが請求項１〜７のいずれか１項に記載の方法を実行する、前記コンピュータ可読記憶媒体。
【請求項３０】
コンピュータ可読記憶媒体であって、
命令が記憶され、前記命令がプロセッサにより実行されるとき、前記命令によってプロセッサが請求項８〜１４のいずれか１項に記載の方法を実行する、前記コンピュータ可読記憶媒体。
【発明の詳細な説明】
【関連出願の相互参照】
【０００１】
本願は、２０１７年１月２０日に提出した米国仮出願第６２／４４８，８４７号の優先権を主張し、該米国仮出願の全内容が本願の一部として援用される。
【技術分野】
【０００２】
本開示は通信技術分野に関し、特にデータ通信方法及び装置並びに記憶媒体に関する。
【背景技術】
【０００３】
第４世代（４Ｇ）のロングタームエボリューション（ＬＴＥ）通信システムにおいて、１つのコンポーネントキャリアが２０ＭＨｚの最大帯域幅を有し、ユーザー装置（ＵＥ）が１つの無線周波数（ＲＦ）チェーンのみを用いて帯域幅全体をカバレッジできる。
【０００４】
第５世代（５Ｇ）の新無線（ＮＲ）通信システムにおいて、より高いピークデータレート及びセル能力を実現するために、コンポーネントキャリアがより大きな帯域幅、例えば８０ＭＨｚ、又は１００ＭＨｚ以上を有することが可能である。ところが、ＲＦチェーンにおける現行の電力増幅器は通常、１００ＭＨｚより遥かに小さい動作帯域幅（例えば、４０ＭＨｚ）を有するように設計されており、そしてより大きな動作帯域幅（例えば、６０ＭＨｚ又は８０ＭＨｚ）を有するように電力増幅器を設計する場合、コストが著しく高くなってしまう。それ以外、広帯域幅は、更に消費電力、コスト、処理能力の面において、ＲＦチェーンにおける他の装置（例えば、Ａ／Ｄ及びＤ／Ａ変換器）及びベースバンドプロセッサに対して大きな挑戦をもたらす。従って、ＵＥが１つのＲＦチェーンのみを用いてこのような広帯域幅をカバレッジすることが困難である。従って、特にＵＥが複数の利用可能なＲＦチェーンを有するとき、どのようにＵＥのＲＦチェーンを用いてＵＥと基地局との間のコンポーネントキャリアにおいてデータ通信を実行するかは、解決すべき問題となる。
【発明の概要】
【発明が解決しようとする課題】
【０００５】
本開示の実施例はＵＥの能力に基づいてＵＥと基地局との間のコンポーネントキャリアにおいてデータ通信を行う最適なスケジューリングを実現することのできるデータ通信方法及び装置並びに記憶媒体を提供する。
【課題を解決するための手段】
【０００６】
本開示の第１態様はデータ通信方法を提供し、該データ通信方法は、ユーザー装置（ＵＥ）が前記ＵＥが複数の無線周波数（ＲＦ）チェーンを用いてデータ通信を行う能力を取得することと、基地局へ前記ＵＥが複数の無線周波数（ＲＦ）チェーンを用いてデータ通信を行う能力を含むレポートを送信することと、を含む。
【０００７】
いくつかの実施例において、前記方法は、更に、前記ＵＥが前記基地局からコンポーネントキャリアにおいて如何に前記複数のＲＦチェーンを用いてデータ通信を行うかについての命令を受信することと、前記命令に基づいて、前記コンポーネントキャリアにおいて動作するようにいくつかのＲＦチェーンを設定することと、を含んでもよい。
【０００８】
いくつかの実施例において、前記レポートは、各ＲＦチェーンの動作帯域幅、又はどのＲＦチェーンを用いて前記コンポーネントキャリアのどの部分の帯域幅において動作するかの指示をさらに含んでもよい。
【０００９】
いくつかの実施例において、前記命令が、前記ＵＥが前記コンポーネントキャリアにおいて前記複数のＲＦチェーンのうちの２つ以上のＲＦチェーンを用いることを許容することを含む場合、前記命令に基づいて、前記コンポーネントキャリアにおいて動作するようにいくつかのＲＦチェーンを設定する動作は、前記ＵＥが前記命令に基づいて、前記２つ以上のＲＦチェーンのうちの各ＲＦチェーンを前記コンポーネントキャリアの部分帯域幅において動作するように設定し、各ＲＦチェーンの動作している前記部分帯域幅が互いに隔てられることを含んでもよい。
【００１０】
いくつかの実施例において、前記命令が、前記ＵＥが前記コンポーネントキャリアにおいて前記複数のＲＦチェーンのうちの２つ以上のＲＦチェーンを用いることを禁止することを含む場合、前記命令に基づいて、前記コンポーネントキャリアにおいて動作するようにいくつかのＲＦチェーンを設定する動作は、前記ＵＥが前記命令に基づいて、１つのＲＦチェーンを前記コンポーネントキャリアにおいて動作するように設定することを含んでもよく、前記方法は更に前記ＵＥが他のＲＦチェーンをオフにすることを含む。
【００１１】
いくつかの実施例において、前記命令は、前記コンポーネントキャリアのどの部分の帯域幅を用いるかをさらに含んでもよく、前記命令に基づいて、１つのＲＦチェーンを前記コンポーネントキャリアにおいて動作するように設定する動作は、前記ＵＥが該ＲＦチェーンを前記コンポーネントキャリアの命令された部分の帯域幅において動作するように設定することを含んでもよい。
【００１２】
いくつかの実施例において、前記命令は、前記コンポーネントキャリアの帯域幅の第１部分と第２部分を用いてダウンリンクデータ通信及びアップリンクデータ通信をそれぞれ行うことをさらに含んでもよく、前記命令に基づいて、１つのＲＦチェーンを前記コンポーネントキャリアにおいて動作するように設定する動作は、該ＲＦチェーンのダウンリンク部分を前記コンポーネントキャリアの帯域幅の第１部分において動作するように設定することと、該ＲＦチェーンのアップリンク部分を前記コンポーネントキャリアの帯域幅の第２部分において動作するように設定することと、を含んでもよい。
【００１３】
本開示の第２態様はデータ通信方法を提供し、該データ通信方法は、基地局がＵＥから前記ＵＥが複数の無線周波数（ＲＦ）チェーンを用いてデータ通信を行う能力を含むレポートを受信することと、前記レポートに基づいて、どのようにコンポーネントキャリアにおいて前記複数のＲＦチェーンを用いるかを前記ＵＥに命令することと、を含む。
【００１４】
具体的に、レポートを受信するとき、前記基地局は前記レポートに基づいて、前記ＵＥがどのように前記コンポーネントキャリアにおいて前記複数のＲＦチェーンを用いてデータ通信を行うかを確定し、確定された結果に基づいて前記ＵＥへ命令を送信することができる。
【００１５】
いくつかの実施例において、前記レポートは、前記複数のＲＦチェーンのうちの各動作帯域幅又はどのＲＦチェーンを用いて前記コンポーネントキャリアのどの部分の帯域幅において動作するかの指示をさらに含んでもよく、前記レポートに基づいて、どのようにコンポーネントキャリアにおいて前記複数のＲＦチェーンを用いるかを前記ＵＥに命令する動作は、前記基地局がＲＦチェーンの動作周波数帯の間の間隔、ＲＦチェーンの動作周波数帯と前記コンポーネントキャリアの帯域幅エッジとの間の間隔がいずれもそれぞれの対応するプリセット値以上であるかどうかを確定することと、前記間隔がいずれもそれぞれの対応するプリセット値以上である場合、前記ＵＥが前記コンポーネントキャリアにおいて前記複数のＲＦチェーンのうちの２つ以上のＲＦチェーンを用いてデータ通信を行うことを許容することを確定し、又は、１つの間隔が対応するプリセット値より小さい場合、前記ＵＥが前記コンポーネントキャリアにおいて前記複数のＲＦチェーンのうちの２つ以上のＲＦチェーンを用いてデータ通信を行うことを禁止することを確定することと、を含んでもよい。
【００１６】
いくつかの実施例において、前記基地局が、前記ＵＥが前記コンポーネントキャリアにおいて前記複数のＲＦチェーンのうちの２つ以上のＲＦチェーンを用いてデータ通信を行うことを許容することを確定した場合、前記命令はどのＲＦチェーンが前記コンポーネントキャリアのどの部分の帯域幅を用いるかを含んでもよい。
【００１７】
いくつかの実施例において、前記基地局が、前記ＵＥが前記コンポーネントキャリアにおいて前記複数のＲＦチェーンのうちの２つ以上のＲＦチェーンを用いてデータ通信を行うことを許容することを確定した場合、前記基地局が前記コンポーネントキャリアにおいて複数のパラメータセットを操作する場合、前記命令は異なるパラメータセットに対して異なるＲＦチェーンを用いることを含んでもよい。
【００１８】
いくつかの実施例において、前記基地局は前記ＵＥが前記コンポーネントキャリアにおいて前記複数のＲＦチェーンのうちの２つ以上のＲＦチェーンを用いることを禁止することを確定した場合、前記命令は前記コンポーネントキャリアのどの部分の帯域幅を用いるかを含んでもよい。
【００１９】
いくつかの実施例において、前記基地局は前記ＵＥが前記コンポーネントキャリアにおいて前記複数のＲＦチェーンのうちの２つ以上のＲＦチェーンを用いてデータ通信を行うことを禁止することを確定した場合、前記方法は更に前記基地局が前記コンポーネントキャリアにおいてダウンリンクデータ通信及びアップリンクデータ通信を別個に実行することを確定することを含んでもよく、前記命令は、前記ＵＥがダウンリンクデータ通信及びアップリンクデータ通信を行う時に、前記コンポーネントキャリアの帯域幅の第１部分と第２部分をそれぞれ用いることをさらに含んでもよい。
【００２０】
本開示の第３態様はデータ通信装置を提供し、該データ通信装置は取得モジュール及び送信モジュールを備える。前記取得モジュールはユーザー装置（ＵＥ）が複数の無線周波数（ＲＦ）チェーンを用いてデータ通信を行う能力を取得するように構成される。前記送信モジュールは基地局へ前記ＵＥが複数のＲＦチェーンを用いてデータ通信を行う能力を含むレポートを送信するように構成される。
【００２１】
いくつかの実施例において、前記装置は更に受信モジュール及び設定モジュールを備えてもよい。前記受信モジュールは前記基地局からコンポーネントキャリアにおいて如何に前記複数のＲＦチェーンを用いてデータ通信を行うかについての命令を受信するように構成される。前記設定モジュールは前記命令に基づいて、前記コンポーネントキャリアにおいて動作するようにいくつかのＲＦチェーンを設定するように構成される。
【００２２】
いくつかの実施例において、前記レポートは、各ＲＦチェーンの動作帯域幅、又はどのＲＦチェーンを用いて前記コンポーネントキャリアのどの部分の帯域幅において動作するかの指示をさらに含んでもよい。
【００２３】
いくつかの実施例において、前記命令が、前記ＵＥが前記コンポーネントキャリアにおいて前記複数のＲＦチェーンのうちの２つ以上のＲＦチェーンを用いることを許容することを含む場合、前記設定モジュールは前記命令に基づいて、前記２つ以上のＲＦチェーンのうちの各ＲＦチェーンを前記コンポーネントキャリアの部分帯域幅において動作するように設定するように構成されてもよく、各ＲＦチェーンの動作している前記部分帯域幅が互いに隔てられる。
【００２４】
いくつかの実施例において、前記命令が、前記ＵＥが前記コンポーネントキャリアにおいて前記複数のＲＦチェーンのうちの２つ以上のＲＦチェーンを用いることを禁止することを含む場合、前記設定モジュールは前記命令に基づいて、１つのＲＦチェーンを前記コンポーネントキャリアにおいて動作するように設定するように構成されてもよく、前記設定モジュールは更に他のＲＦチェーンをオフにするように構成されてもよい。
【００２５】
いくつかの実施例において、前記命令は、前記コンポーネントキャリアのどの部分の帯域幅を用いるかをさらに含んでもよく、前記設定モジュールは該ＲＦチェーンを前記コンポーネントキャリアの命令された部分の帯域幅において動作するように設定するように構成されてもよい。
【００２６】
いくつかの実施例において、前記命令は、前記コンポーネントキャリアの帯域幅の第１部分と第２部分を用いてダウンリンクデータ通信及びアップリンクデータ通信をそれぞれ行うことをさらに含んでもよく、前記設定モジュールは、該ＲＦチェーンのダウンリンク部分を前記コンポーネントキャリアの帯域幅の第１部分において動作するように設定し、該ＲＦチェーンのアップリンク部分を前記コンポーネントキャリアの帯域幅の第２部分において動作するように設定するように構成されてもよい。
【００２７】
本開示の第４態様はデータ通信装置を提供し、該データ通信装置は受信モジュール及び命令モジュールを備える。前記受信モジュールはＵＥが複数の無線周波数（ＲＦ）チェーンを用いてデータ通信を行う能力を含むレポートを受信するように構成される。前記命令モジュールは前記レポートに基づいて、どのようにコンポーネントキャリアにおいて前記複数のＲＦチェーンを用いるかを前記ＵＥに命令するように構成されてもよい。
【００２８】
いくつかの実施例において、前記命令モジュールは確定ユニット及び送信ユニットを備えてもよい。前記確定ユニットは前記レポートに基づいて、前記ＵＥがどのように前記コンポーネントキャリアにおいて前記複数のＲＦチェーンを用いてデータ通信を行うかを確定するように構成される。前記送信ユニットは確定された結果に基づいて前記ＵＥへ命令を送信するように構成される。
【００２９】
いくつかの実施例において、前記レポートは、前記複数のＲＦチェーンのうちの各動作帯域幅又はどのＲＦチェーンを用いて前記コンポーネントキャリアのどの部分の帯域幅において動作するかの指示をさらに含んでもよく、前記確定ユニットは、ＲＦチェーンの動作周波数帯の間の間隔、ＲＦチェーンの動作周波数帯と前記コンポーネントキャリアの帯域幅エッジとの間の間隔がいずれもそれぞれの対応するプリセット値以上であるかどうかを確定するように構成されてもよく、前記間隔がいずれもそれぞれの対応するプリセット値以上である場合、前記ＵＥが前記コンポーネントキャリアにおいて前記複数のＲＦチェーンのうちの２つ以上のＲＦチェーンを用いてデータ通信を行うことを許容することを確定し、又は、１つの間隔が対応するプリセット値より小さい場合、前記ＵＥが前記コンポーネントキャリアにおいて前記複数のＲＦチェーンのうちの２つ以上のＲＦチェーンを用いてデータ通信を行うことを禁止することを確定するように構成されてもよい。
【００３０】
いくつかの実施例において、前記確定ユニットは前記ＵＥが前記コンポーネントキャリアにおいて前記複数のＲＦチェーンのうちの２つ以上のＲＦチェーンを用いてデータ通信を行うことを許容することを確定した場合、前記命令はどのＲＦチェーンが前記コンポーネントキャリアのどの部分の帯域幅を用いるかを含んでもよい。
【００３１】
いくつかの実施例において、前記確定ユニットは前記ＵＥが前記コンポーネントキャリアにおいて前記複数のＲＦチェーンのうちの２つ以上のＲＦチェーンを用いてデータ通信を行うことを許容することを確定した場合、前記基地局が前記コンポーネントキャリアにおいて複数のパラメータセットを操作する場合、前記命令は更に異なるパラメータセットに対して異なるＲＦチェーンを用いることを含んでもよい。
【００３２】
いくつかの実施例において、前記確定ユニットは前記ＵＥが前記コンポーネントキャリアにおいて前記複数のＲＦチェーンのうちの２つ以上のＲＦチェーンを用いることを禁止することを確定した場合、前記命令は前記コンポーネントキャリアのどの部分の帯域幅を用いるかを含んでもよい。
【００３３】
いくつかの実施例において、前記確定ユニットは前記ＵＥが前記コンポーネントキャリアにおいて前記複数のＲＦチェーンのうちの２つ以上のＲＦチェーンを用いてデータ通信を行うことを禁止することを確定した場合、前記確定ユニットは更に前記コンポーネントキャリアにおいてダウンリンクデータ通信及びアップリンクデータ通信を別個に実行することを確定するように構成されてもよく、前記命令は、前記ＵＥがダウンリンクデータ通信及びアップリンクデータ通信を行う時に、前記コンポーネントキャリアの帯域幅の第１部分と第２部分をそれぞれ用いることをさらに含んでもよい。
【００３４】
本開示の第５態様はコンピュータ可読記憶媒体を提供し、該コンピュータ可読記憶媒体に命令が記憶され、該命令がプロセッサにより実行されるとき、該命令によってプロセッサが以上に記載の方法を実行する。
【発明の効果】
【００３５】
本開示によれば、広帯域幅通信システムにおいて、ＵＥはＵＥが複数のＲＦチェーンを用いてデータ通信を行う能力を取得して基地局に報告することができる。このような方式に基づき、基地局は、どのようにコンポーネントキャリアにおいて複数のＲＦチェーンを用いてデータ通信を行うかをＵＥに命令することができる。従って、基地局は該コンポーネントキャリアにおけるデータ通信の最適なスケジューリングを実現することができる。例えば、複数のＲＦチェーンが直接ＵＥに使用されるとき、複数のＲＦチェーン同士が干渉することを避けるとともに、帯域幅リソースを活用する。また、ＵＥは使用しないと確定したＲＦチェーンをオフにすることができ、従ってＵＥの消費電力を削減する。
【図面の簡単な説明】
【００３６】
【図１】図１はＵＥのＲＦチェーンの概略構造を示す模式図である。
【図２】図２は本開示のいくつかの実施例に係るデータ通信方法を示すフローチャートである。
【図３】図３は本開示のいくつかの実施例に係るデータ通信方法を示すフローチャートである。
【図４】図４は本開示のいくつかの実施例に係るデータ通信装置を示すブロック図である。
【図５】図５は本開示のいくつかの実施例に係るデータ通信装置を示すブロック図である。
【図６】図６は本開示のいくつかの実施例に係るＵＥを示す概略ブロック図である。
【図７】図７は本開示のいくつかの実施例に係る基地局を示す概略ブロック図である。
【発明を実施するための形態】
【００３７】
以下、図面を参照しながら各態様を説明する。以下の説明において、説明のため、複数の具体的な詳細を詳述することにより１つ又は複数の態様の徹底的な理解を提供する。ところが、これらの具体的な詳細がない場合にこれらの態様を実施できることが明らかである。
【００３８】
本明細書においてユーザー装置（ＵＥ）に関連付けて各態様を説明し、ＵＥは無線ＵＥであってもよい。ＵＥは更にシステム、装置、ユーザー要素、加入者局、移動局、移動物体、移動体装置、遠隔局、リモートＵＥ、アクセスＵＥ、ユーザーＵＥ、通信装置、ユーザーエージェント又はユーザー装置と称されてもよい。ＵＥはセルラー方式の電話、衛星電話、コードレスホン、セッション確立プロトコル（ＳＩＰ）電話、ワイヤレスローカルループ（ＷＬＬ）局、パーソナルデジタルアシスタント（ＰＤＡ）、無線接続能力を有するハンドヘルドデバイス、コンピューティングデバイス又は無線モデムに接続される他の処理装置であってもよい。なお、本明細書において基地局に関連付けて各態様を説明する。基地局は無線ＵＥと通信することに用いられてもよく、且つ更にアクセスポイント、ノードＢ、進化型ノードＢ（ｅＮＢ）、Ｈ（ｅ）ＮＢ又はある他の用語と称されてもよい。
【００３９】
本開示の実施例に係るデータ通信方法及び装置に対する徹底的な理解を提供するために、まず、以下の説明においてＵＥのＲＦチェーンを説明する。図１にはＵＥのＲＦチェーンの概略構造の模式図を示す。図１に示すように、ＵＥはｎ個のＲＦチェーン１１０−１、１１０−２・・・１１０−ｎを有し、ｎが１より大きな正の整数である。ＲＦチェーン１１０−１、１１０−２・・・１１０−ｎのうちのそれぞれはアップリンク部分（更に送信（ＴＸ）チェーンと称される）及びダウンリンク部分（更に受信（ＲＸ）チェーンと称される）を含んでもよい。アップリンク部分は、ベースバンドプロセッサからデジタル信号を受信し、デジタル信号に対してＤ／Ａ変換１４１、ミキシング１５１、パワー増幅１６１、フィルタリング１７１等の処理を実行し、次にアンテナによって処理後の信号を送信するように構成されてもよい。ダウンリンク部分は、アンテナから無線信号を受信し、受信された信号に対してフィルタリング１７２、低雑音増幅１６２、ミキシング１５２、Ａ／Ｄ変換１４２等の処理を実行し、次に更なる処理のためにベースバンドプロセッサへ処理後の信号を送信するように構成されてもよい。また、当業者であれば、更に、ＵＥのＲＦ部分は更に異なるＲＦチェーンの間に切替を実行するように構成されるアンテナスイッチ、二重切替を実行するように構成されるデュプレクサ（図示せず）及び他のデバイスを備えてもよく、ここで詳細な説明は省略すると理解される。
【００４０】
本開示のいくつかの実施例はデータ通信方法を提供する。該方法はＵＥに適用されてもよい。該方法はＵＥに含まれる複数のＲＦチェーンの操作の制御を実現し、それにより基地局はコンポーネントキャリアにおけるデータ通信の最適なスケジューリングを実現することができる。図２に示すように、該方法はブロックに示す以下の操作を含んでもよい。操作はブロック２０１から開始してもよい。
【００４１】
ブロック２０１において、ＵＥはＵＥが複数のＲＦチェーンを用いてデータ通信を行う能力を取得することができる。
【００４２】
ブロック２０２において、ＵＥは基地局へレポートを送信することができる。レポートはＵＥが複数のＲＦチェーンを用いてデータ通信を行う能力を含んでもよい。
【００４３】
いくつかの実施例において、レポートは更に各ＲＦチェーンの動作帯域幅又はどのＲＦチェーンを用いてコンポーネントキャリアのどの部分の帯域幅において動作するかの指示を含んでもよい。
【００４４】
いくつかの実施例において、ブロック２０２の後で、ＵＥは基地局からどのようにコンポーネントキャリアにおいて複数のＲＦチェーンを用いてデータ通信を行うかについての命令を受信することができる。
【００４５】
命令は、一般的に、ＵＥがコンポーネントキャリアにおいて複数のＲＦチェーンのうちの２つ以上のＲＦチェーンを用いることを許容し、又は、ＵＥがコンポーネントキャリアにおいて複数のＲＦチェーンのうちの２つ以上のＲＦチェーンを用いることを禁止することを含んでもよい。このような命令は基地局又は他のネットワーク側機器がコンポーネントキャリアの帯域幅、チャネル状態、サービスタイプ及びＵＥのＲＦチェーンの動作帯域幅のうちの少なくとも１つに基づいて生成されてもよい。
【００４６】
これらの実施例において、命令を受信するとき、ＵＥは該命令に基づいて、いくつかのＲＦチェーンをコンポーネントキャリアにおいて動作するように設定することができる。
【００４７】
従って、ＲＦチェーンを設定した後、ＵＥはコンポーネントキャリアにおいていくつかの設定されたＲＦチェーンを用いて基地局とのデータ通信を実行することができる。
【００４８】
以上に説明された方法において、ＵＥが複数のＲＦチェーンを用いる能力についてのレポートは基地局がデータ通信・スケジューリングを実行することに役立つ。コンポーネントキャリアにおいて直接複数のＲＦチェーンを用いる場合に比べて、該スケジューリングは複数のＲＦチェーン同士が干渉することを避けることができる。
【００４９】
いくつかの実施例において、命令はＵＥがコンポーネントキャリアにおいて複数のＲＦチェーンのうちの２つ以上のＲＦチェーンを用いることを許容することを含む場合、ＵＥは該命令に基づいて、２つ以上のＲＦチェーンのうちの各ＲＦチェーンをコンポーネントキャリアの部分帯域幅において動作するように設定することができ、各ＲＦチェーンの動作している前記部分帯域幅が互いに隔てられる。いくつかの実施例において、レポートは更にＲＦの実現した詳細、例えばどのＲＦチェーンがコンポーネントキャリアのどの部分の帯域幅をカバレッジするかを含んでもよい。例えば、コンポーネントキャリアは８０ＭＨｚの帯域幅を有してもよく、ＵＥは２つのＲＦチェーンを用いて該帯域幅をカバレッジすることを含むレポートを送信することができ、一方のＲＦチェーンが低の帯域幅４０ＭＨｚをカバレッジするが、他方のＲＦチェーンが高の帯域幅４０ＭＨｚをカバレッジし、つまり、各ＲＦチェーンが帯域幅の半分をカバレッジする。次に、ＵＥがコンポーネントキャリアにおいて複数のＲＦチェーンのうちの２つ以上のＲＦチェーンを用いることを許容することを含む命令を受信した後、ＵＥはレポートのようにＲＦチェーンを設定することができる。
【００５０】
いくつかの実施例において、命令はＵＥがコンポーネントキャリアにおいて複数のＲＦチェーンのうちの２つ以上のＲＦチェーンを用いることを禁止することを含む場合、ＵＥは該命令を受信した後に１つのＲＦチェーンをコンポーネントキャリアにおいて動作するように設定することができる。
【００５１】
いくつかの実施例において、ＵＥの複数のＲＦチェーンの動作帯域幅が完全に同じではない。例えば、ＵＥは動作帯域幅４０ＭＨｚの第１ＲＦチェーン及び動作帯域幅６０ＭＨｚの第２ＲＦチェーンを有してもよく、ＵＥはこのまま基地局に報告することができる。このような場合、命令は更にどのＲＦチェーンを用いるかを含んでもよい。つまり、ＵＥは１つのＲＦチェーンを自主的に選択し又は直接命令した１つのＲＦチェーンを用いることにより、基地局とのデータ通信を実行することができる。いずれにせよ、ＵＥは他の使用しないＲＦチェーンをオフにすることができ、それによりＵＥの消費電力を削減する。
【００５２】
いくつかの実施例において、ＵＥがコンポーネントキャリアにおいて複数のＲＦチェーンのうちの２つ以上のＲＦチェーンを用いることを禁止する以外に、命令は更にコンポーネントキャリアのどの部分の帯域幅を用いるかを含んでもよい。例えば、コンポーネントキャリアの帯域幅は８０ＭＨｚであってもよく、命令はコンポーネントキャリアの帯域幅の中央部分（例えば、４０ＭＨｚ）を用いることを含んでもよい。このような場合、ＵＥは該命令を受信した後に使用対象のＲＦチェーンをコンポーネントキャリアの命令された部分の帯域幅において動作するように設定することができる。従って、ＵＥはその後コンポーネントキャリアにおいて設定されたＲＦチェーンを用いて基地局とのデータ通信を実行することができる。具体的に、使用対象のＲＦチェーンをコンポーネントキャリアの命令された部分の帯域幅において動作するように設定するために、ＵＥは該命令に基づいて、ＲＦチェーンの動作周波数帯を確定し、次に該動作周波数帯に基づいてＲＦチェーンにおけるミキサを設定することができる。
【００５３】
いくつかの実施例において、命令はＵＥがコンポーネントキャリアにおいて複数のＲＦチェーンのうちの２つ以上のＲＦチェーンを用いることを禁止することを含む場合、該命令は更にコンポーネントキャリアの帯域幅の第１部分と第２部分を用いてそれぞれダウンリンクデータ通信及びアップリンクデータ通信を行うことを含んでもよい。このような場合、ＵＥは該命令を受信した後に複数のＲＦチェーンのうちの１つのダウンリンク部分をコンポーネントキャリアの帯域幅の第１部分において動作するように設定し、該ＲＦチェーンのアップリンク部分をコンポーネントキャリアの帯域幅の第２部分において動作するように設定することができる。従って、ＵＥはその後コンポーネントキャリアにおいてＲＦチェーンのダウンリンク部分を用いて基地局とのダウンリンクデータ通信を実行し、コンポーネントキャリアにおいてＲＦチェーンのアップリンク部分を用いて基地局とのアップリンクデータ通信を実行することができる。例えば、コンポーネントキャリアの帯域幅は８０ＭＨｚであってもよく、命令は該帯域幅の低の帯域幅４０ＭＨｚを用いてダウンリンクデータ通信を行うことと、該帯域幅の高の帯域幅４０ＭＨｚを用いてアップリンクデータ通信を行うことと、を含んでもよい。このような場合、ＵＥは該ＲＦチェーンのダウンリンク部分を低の帯域幅４０ＭＨｚにおいて動作するように設定し、該ＲＦチェーンのアップリンク部分を高の帯域幅４０ＭＨｚにおいて動作するように設定する。
【００５４】
本開示のいくつかの実施例はデータ通信方法を提供する。該方法は基地局に適用されてもよい。該方法はＵＥに含まれる複数のＲＦチェーンの動作の制御を実現し、それにより基地局はコンポーネントキャリアにおけるデータ通信の最適なスケジューリングを実現することができる。図３に示すように、該方法はブロックに示す以下の操作を含んでもよい。操作はブロック３０１から開始してもよい。
【００５５】
ブロック３０１において、基地局はＵＥからＵＥが複数のＲＦチェーンを用いてデータ通信を行う能力を含むレポートを受信することができる。
【００５６】
ブロック３０２において、基地局は該レポートに基づいて、どのようにコンポーネントキャリアにおいて複数のＲＦチェーンを用いるかをＵＥに命令することができる。
【００５７】
具体的に、基地局は該レポートに基づいてＵＥがどのように該コンポーネントキャリアにおいて複数のＲＦチェーンを用いてデータ通信を行うかを確定して、確定された結果に基づいてＵＥへ命令を送信することができる。従って、基地局は該命令に基づいて、ＵＥとのデータ通信を実行することができる。
【００５８】
以上に説明された方法において、基地局はＵＥの能力に基づいて、どのようにコンポーネントキャリアにおいて複数のＲＦチェーンを用いてデータ通信を行うかをＵＥに命令することにより、データ通信の最適なスケジューリングを実現する。コンポーネントキャリアにおいて直接複数のＲＦチェーンを用いる場合に比べて、該スケジューリングは複数のＲＦチェーン同士が干渉することを避けるとともに、やはり帯域幅リソースを活用することができる。
【００５９】
いくつかの実施例において、レポートは更に複数のＲＦチェーンのうちのそれぞれの動作帯域幅を含んでもよい。このような場合、基地局はコンポーネントキャリアの帯域幅及び複数のＲＦチェーンのうちのそれぞれの動作帯域幅に基づいてＵＥがどのように該コンポーネントキャリアにおいて複数のＲＦチェーンを用いるかを確定することができる。具体的に、例えば、複数のＲＦチェーンを用いる場合、基地局はＲＦチェーンの動作周波数帯の間の間隔、ＲＦチェーンの動作周波数帯とコンポーネントキャリアの帯域幅エッジとの間の間隔がいずれもそれぞれの対応するプリセット値以上であるかどうかを確定することができる。プリセット値は複数のＲＦチェーンが互いに影響することを避けることのできる所定のガードインターバルであってもよい。コンポーネントキャリアの異なる部分に異なるプリセット値を用いてもよい。また、基地局は更に他の要素、例えばチャネル状態及びサービスタイプを考慮してもよい。その結果、基地局はＵＥがコンポーネントキャリアにおいて複数のＲＦチェーンのうちの２つ以上のＲＦチェーンを用いることを許容し、又はＵＥがコンポーネントキャリアにおいて複数のＲＦチェーンのうちの２つ以上のＲＦチェーンを用いることを禁止することを確定できる。
【００６０】
いくつかの実施例において、基地局はＵＥがコンポーネントキャリアにおいて複数のＲＦチェーンのうちの２つ以上のＲＦチェーンを用いてデータ通信を行うことを許容することを確定した場合、命令は更に使用対象のＲＦチェーンのうちのそれぞれの動作周波数帯、例えばどのＲＦチェーンがどの部分の帯域幅を用いるかを含んでもよい。いくつかの実施例において、レポートは更にＲＦの実現した詳細、例えば、どのＲＦチェーンがコンポーネントキャリアのどの部分の帯域幅をカバレッジするかを含んでもよい。例えば、コンポーネントキャリアは８０ＭＨｚの帯域幅を有してもよく、ＵＥは２つのＲＦチェーンを用いて該帯域幅をカバレッジすることを含むレポートを送信することができ、一方のＲＦチェーンが低の帯域幅４０ＭＨｚにおいて動作しており、他方のＲＦチェーンが高の帯域幅４０ＭＨｚにおいて動作しており、つまり、各ＲＦチェーンが帯域幅の半分において動作している。基地局はＵＥがコンポーネントキャリアにおいて２つのＲＦチェーンを用いることを許容することを確定した場合、基地局は１ビット命令を送信することができ、それによりＵＥはレポートのように該命令に基づいて、データ通信を実行することができる。
【００６１】
いくつかの実施例において、基地局はコンポーネントキャリアにおいて複数のパラメータセット（ｎｕｍｅｒｌｏｇｙ）を実行することができる。ここで、用語「パラメータセット」はサブキャリア間隔とサイクリックプレフィックス長により制限されるパラメータセット（ｐａｒａｍｅｔｅｒ  ｓｅｔ）であると理解されてもよい。５Ｇ  ＮＲ通信システムの新規の特徴は複数のパラメータセットをサポートでき、該複数のパラメータセットが同時に使用されてもよい。ＬＴＥ／ＬＴＥ−Ａ通信システムにおいて、サブキャリア間隔は１５ＫＨｚに等しいと定義されるが、５Ｇ  ＮＲ通信システムにおいて、基本的なサブキャリア間隔は１５ＫＨｚに等しく柔軟に拡張できると定義される。つまり、サブキャリア間隔は３０ＫＨｚ、６０ＫＨｚ、１２０ＫＨｚ、２４０ＫＨｚ等として設定されてもよい。このような場合、基地局はＵＥがコンポーネントキャリアにおいて複数のＲＦチェーンのうちの２つ以上のＲＦチェーンを用いてデータ通信を行うことを許容することを確定した場合、基地局は更に異なるパラメータセットに対してそれぞれの異なるＲＦチェーンを用いることを含む命令を送信することができ、それにより異なるパラメータセット同士の潜在的な干渉を低減する。
【００６２】
いくつかの実施例において、基地局はＵＥがコンポーネントキャリアにおいて複数のＲＦチェーンのうちの２つ以上のＲＦチェーンを用いることを禁止することを確定する。例えば、コンポーネントキャリアの帯域幅エッジ又はＲＦチェーンの動作周波数帯の間に十分なガードインターバルがない場合、基地局はＵＥがコンポーネントキャリアにおいて複数のＲＦチェーンのうちの２つ以上のＲＦチェーンを用いることを禁止することを確定する。例えば、ＵＥは動作帯域幅４０ＭＨｚの第１ＲＦチェーン及び動作帯域幅６０ＭＨｚの第２ＲＦチェーンを有してもよく、ＵＥはこのまま基地局に報告することができる。このような場合、ＵＥが複数のＲＦチェーンのうちの２つ以上のＲＦチェーンを用いることを禁止する以外に、命令は更にどのＲＦチェーンを用いるかを含んでもよい。
【００６３】
いくつかの実施例において、ＵＥがコンポーネントキャリアにおいて複数のＲＦチェーンのうちの２つ以上のＲＦチェーンを用いることを禁止する以外に、命令は更にコンポーネントキャリアのどの部分の帯域幅を用いるかを含んでもよい。例えば、コンポーネントキャリアの帯域幅は８０ＭＨｚであってもよく、命令はコンポーネントキャリアの帯域幅の中央部分（例えば、４０ＭＨｚ）を用いることを含んでもよい。このような場合、このような命令はＵＥが使用対象のＲＦチェーンを正確に設定することに役立つ。
【００６４】
いくつかの実施例において、基地局はＵＥがコンポーネントキャリアにおいて複数のＲＦチェーンのうちの２つ以上のＲＦチェーンを用いることを禁止することを確定した場合、基地局は更にコンポーネントキャリアにおいてダウンリンクデータ通信及びアップリンクデータ通信を別個に実行することを確定できる。このような場合、命令は更にＵＥがダウンリンクデータ通信及びアップリンクデータ通信を行う際にそれぞれコンポーネントキャリアの帯域幅の第１部分と第２部分を用いることを含んでもよい。例えば、コンポーネントキャリアの帯域幅は８０ＭＨｚであってもよく、命令は該帯域幅の低の帯域幅４０ＭＨｚを用いてダウンリンクデータ通信を行うことと、該帯域幅の高の帯域幅４０ＭＨｚを用いてアップリンクデータ通信を行うことと、を含んでもよい。このような命令はＵＥが使用対象のＲＦチェーンのアップリンク部分とダウンリンク部分を正確に設定することに役立つ。
【００６５】
以上に図１に関連付けて説明された複数のデータ通信方法の実施例に基づき、本開示のいくつかの実施例はデータ通信装置を提供する。
【００６６】
図４に示すように、データ通信装置４００は取得モジュール４０１及び送信モジュール４０２を備える。実践において、取得モジュール４０１がプロセッサにより実現されてもよく、送信モジュール４０２が送受信機により実現されてもよい。
【００６７】
取得モジュール４０１はＵＥが複数のＲＦチェーンを用いてデータ通信を行う能力を取得するように構成されてもよい。
【００６８】
送信モジュール４０２は基地局へＵＥが複数のＲＦチェーンを用いてデータ通信を行う能力を含むレポートを送信するように構成されてもよい。
【００６９】
いくつかの実施例において、装置は更に受信モジュール及び設定モジュールを備えてもよい。実践において、受信モジュールが送受信機により実現されてもよく、設定モジュールがプロセッサにより実現されてもよい。受信モジュールは基地局からどのようにコンポーネントキャリアにおいて複数のＲＦチェーンを用いてデータ通信を行うかについての命令を受信するように構成されてもよい。設定モジュールは該命令に基づいて、いくつかのＲＦチェーンをコンポーネントキャリアにおいて動作するように設定するように構成されてもよい。
【００７０】
従って、ＵＥはコンポーネントキャリアにおいていくつかの設定されたＲＦチェーンを用いて基地局とのデータ通信を実行することができる。
【００７１】
いくつかの実施例において、レポートは更に各ＲＦチェーンの動作帯域幅又はどのＲＦチェーンを用いてコンポーネントキャリアのどの部分の帯域幅において動作するかの指示を含んでもよい。命令はＵＥがコンポーネントキャリアにおいて複数のＲＦチェーンのうちの２つ以上のＲＦチェーンを用いることを許容することを含む場合、設定モジュールは該命令に基づいて、２つ以上のＲＦチェーンのうちの各ＲＦチェーンをコンポーネントキャリアの部分帯域幅において動作するように設定するように構成されてもよく、各ＲＦチェーンの動作している前記部分帯域幅が互いに隔てられる。
【００７２】
いくつかの実施例において、命令はＵＥがコンポーネントキャリアにおいて複数のＲＦチェーンのうちの２つ以上のＲＦチェーンを用いることを禁止することを含む場合、設定モジュールは該命令に基づいて、１つのＲＦチェーンをコンポーネントキャリアにおいて動作するように設定するように構成されてもよく、設定モジュールは更に他のＲＦチェーンをオフにするように構成されてもよい。
【００７３】
いくつかの実施例において、命令は更にコンポーネントキャリアのどの部分の帯域幅を用いるかを含む場合、設定モジュールは該ＲＦチェーンをコンポーネントキャリアの命令された部分の帯域幅において動作するように設定するように構成されてもよい。
【００７４】
いくつかの実施例において、命令は更にコンポーネントキャリアの帯域幅の第１部分と第２部分を用いてそれぞれダウンリンクデータ通信及びアップリンクデータ通信を行うことを含む場合、設定モジュールは該ＲＦチェーンのダウンリンク部分をコンポーネントキャリアの帯域幅の第１部分において動作するように設定し、該ＲＦチェーンのアップリンク部分をコンポーネントキャリアの帯域幅の第２部分において動作するように設定するように構成されてもよい。従って、ＵＥはコンポーネントキャリアにおいてＲＦチェーンのダウンリンク部分を用いて基地局とのダウンリンクデータ通信を実行し、コンポーネントキャリアにおいてＲＦチェーンのアップリンク部分を用いて基地局とのアップリンクデータ通信を実行することができる。
【００７５】
図５は本開示の実施例に係るＵＥの概略ブロック図である。ＵＥ５００はプロセッサ５０１、メモリ５０２及び複数のアンテナを有する送受信機５０３を備えてもよい。メモリ５０２にプログラム命令が記憶され、該プログラム命令がプロセッサ５０１により実行されるとき、該プログラム命令によってプロセッサ５０１が送受信機５０３と協働して、図２に関連付けて説明された方法のうちの少なくとも１つを実行する。図４に示す装置がＵＥ５００において実現できる。
【００７６】
ここで説明された装置の利点は図１に関連付けて説明されたデータ通信方法において説明された利点に対応するため、ここで省略する。
【００７７】
以上に図２に関連付けて説明された複数のデータ通信方法の実施例に基づき、本開示のいくつかの実施例はデータ通信装置を提供する。
【００７８】
図６に示すように、データ通信装置６００は受信モジュール６０１及び命令モジュール６０２を備える。実践において、受信モジュール６０１が送受信機により実現されてもよく、命令モジュール６０２がプロセッサ及び送受信機により実現されてもよい。
【００７９】
受信モジュール６０１はＵＥからＵＥが複数のＲＦチェーンを用いてデータ通信を行う能力を含むレポートを受信するように構成される。
【００８０】
命令モジュール６０２は該レポートに基づいて、どのようにコンポーネントキャリアにおいて複数のＲＦチェーンを用いるかをＵＥに命令するように構成される。
【００８１】
具体的に、命令モジュールは確定ユニット及び送信ユニットを備えてもよい。確定ユニットは該レポートに基づいてＵＥがどのように該コンポーネントキャリアにおいて複数のＲＦチェーンを用いてデータ通信を行うかを確定するように構成され、送信ユニットは確定された結果に基づいてＵＥへ命令を送信するように構成される。
【００８２】
従って、該命令に基づいて、ＵＥとのデータ通信を実行することができる。
【００８３】
いくつかの実施例において、レポートは更に複数のＲＦチェーンのうちのそれぞれの動作帯域幅又はどのＲＦチェーンを用いてコンポーネントキャリアのどの部分の帯域幅において動作するかの指示を含み、確定ユニットは、ＲＦチェーンの動作周波数帯の間の間隔、ＲＦチェーンの動作周波数帯とコンポーネントキャリアの帯域幅エッジとの間の間隔がいずれもそれぞれの対応するプリセット値以上であるかどうかを確定し、前記間隔がいずれもそれぞれの対応するプリセット値以上である場合、ＵＥがコンポーネントキャリアにおいて複数のＲＦチェーンのうちの２つ以上のＲＦチェーンを用いてデータ通信を行うことを許容することを確定し、又は、１つの間隔が対応するプリセット値より小さい場合、ＵＥがコンポーネントキャリアにおいて複数のＲＦチェーンのうちの２つ以上のＲＦチェーンを用いてデータ通信を行うことを禁止することを確定するように構成される。
【００８４】
いくつかの実施例において、確定ユニットはＵＥがコンポーネントキャリアにおいて複数のＲＦチェーンのうちの２つ以上のＲＦチェーンを用いてデータ通信を行うことを許容することを確定した場合、命令は更にコンポーネントキャリアのどの部分の帯域幅を用いるかを含んでもよい。
【００８５】
いくつかの実施例において、確定ユニット６０２はＵＥがコンポーネントキャリアにおいて複数のＲＦチェーンのうちの２つ以上のＲＦチェーンを用いてデータ通信を行うことを許容することを確定した場合、基地局がコンポーネントキャリアにおいて複数のパラメータセットを操作するとき、命令は更に異なるパラメータセットに対して異なるＲＦチェーンを用いることを含んでもよい。
【００８６】
いくつかの実施例において、確定ユニットはＵＥがコンポーネントキャリアにおいて複数のＲＦチェーンのうちの２つ以上のＲＦチェーンを用いることを禁止することを確定した場合、命令はコンポーネントキャリアのどの部分の帯域幅を用いるかを含んでもよい。
【００８７】
いくつかの実施例において、確定ユニットはＵＥがコンポーネントキャリアにおいて複数のＲＦチェーンのうちの２つ以上のＲＦチェーンを用いることを禁止することを確定した場合、確定ユニット６０２は更にコンポーネントキャリアにおいてダウンリンクデータ通信及びアップリンクデータ通信を別個に実行することを確定するように構成されてもよく、命令は更にＵＥがダウンリンクデータ通信及びアップリンクデータ通信を行う際にそれぞれコンポーネントキャリアの帯域幅の第１部分と第２部分を用いることを含んでもよい。
【００８８】
図７は本開示の実施例に係る基地局の概略ブロック図である。基地局７００はプロセッサ７０１、メモリ７０２及び送受信機７０３を備えてもよい。メモリ７０２にプログラム命令が記憶され、該プログラム命令がプロセッサ７０１により実行されるとき、該プログラム命令によってプロセッサ７０１が送受信機７０３と協働して、図３に関連付けて説明された方法のうちの少なくとも１つを実行する。図６に示す装置が基地局７００において実現できる。
【００８９】
ここで説明された装置の利点は図３に関連付けて説明されたデータ通信方法において説明された利点に対応するため、ここで省略する。
【００９０】
当業者であれば、上記実施例における全部又は一部のステップはコンピュータプログラムにより実現されてもよいと理解される。方法実施例における１つのステップ又はステップの組み合わせを実行するよう、コンピュータプログラムがコンピュータ可読記憶媒体に記憶されて対応するハードウェアプラットフォーム（例えば、システム、装置、機器、デバイス等）において実行されてもよい。
【００９１】
好ましくは、上記実施例における全部又は一部のステップが集積回路（ＩＣ）により実現されてもよい。これらのステップが１つ又は複数のＩＣモジュールにより実現されてもよい。同様に、本発明はハードウェア回路とソフトウェアとのいかなる特定の組み合わせに限らない。
【００９２】
上記実施例における各装置又は機能モジュール又は機能ユニットが汎用コンピューティングデバイスにより実現されてもよく、該汎用コンピューティングデバイスが単一のコンピューティングデバイスに位置してもよいし、複数のコンピューティングデバイスを含むネットワークに配置されてもよい。
【００９３】
上記実施例における各装置又は機能モジュール又は機能ユニットがソフトウェア機能モジュールの形式で実現され、且つ独立した製品として販売又は使用されるとき、それらがコンピュータ可読記憶媒体に記憶されてもよい。以上に言及したコンピュータ可読記憶媒体は磁気ディスク及び／又は光ディスク、例えば読み出し専用メモリ（ＲＯＭ）等であってもよい。
【００９４】
以上の説明は本開示の好適な実施例であって、本開示の保護範囲を制限するためのものではなく、当業者であれば、本発明の範囲及び趣旨を逸脱せずに、種々の置換、修正及び変更を行うことができることが明らかである。従って、本開示の保護範囲は特許請求の範囲に準じるべきである。
【産業上の利用可能性】
【００９５】
本開示によれば、広帯域幅通信システムにおいて、ＵＥはＵＥが複数のＲＦチェーンを用いてデータ通信を行う能力を取得して基地局に報告することができる。このような方式に基づき、基地局は、どのようにコンポーネントキャリアにおいて複数のＲＦチェーンを用いてデータ通信を行うかをＵＥに命令することができる。従って、基地局は該コンポーネントキャリアにおけるデータ通信の最適なスケジューリングを実現することができる。例えば、複数のＲＦチェーンが直接ＵＥに使用されるとき、複数のＲＦチェーン同士が干渉することを避けるとともに、帯域幅リソースを活用する。また、ＵＥは使用しないと確定したＲＦチェーンをオフにすることができ、従ってＵＥの消費電力を削減する。
【図１】
2020505838.tif 000003
【図２】
2020505838.tif 000004
【図３】
2020505838.tif 000005
【図４】
2020505838.tif 000006
【図５】
2020505838.tif 000007
【図６】
2020505838.tif 000008
【図７】
2020505838.tif 000009
【国際調査報告】
2020505838.tif 000010
2020505838.tif 000011